【手続補正書】
【提出日】平成19年6月28日(2007.6.28)
【手続補正１】
【補正対象書類名】特許請求の範囲
【補正対象項目名】全文
【補正方法】変更
【補正の内容】
【特許請求の範囲】
【請求項１】
ユーザが、アプリケーション・サービスの特定の群にアクセスするためにネットワークに結合されたデバイスで標準通信プロトコルの組を使用することを可能にすることと、
前記デバイスからアクセス可能であり、各群の少なくとも１つのアプリケーション・サービスが前記デバイスによって使用可能であるような、アプリケーション・サービスの複数の群を提供することと、
前記ユーザが、前記複数の群からアプリケーション・サービスの前記特定の群を選択できるようにすることと、
前記ネットワークを介してアプリケーション・サービスの前記特定の群に前記デバイスによってアクセスすることを可能にするために、アプリケーション・サービスの前記特定の群に基づいて前記ネットワークを構成することと
を含む方法。
【請求項２】
前記ユーザが、前記複数の群からのアプリケーション・サービスの別の群の後続の選択を行えるようにすることと、
前記ネットワークを介して前記デバイスによってアプリケーション・サービスの前記別の群にアクセスすることを可能にするために、前記後続の選択に基づいて前記ネットワークを再構成することと
を含む、請求項１に記載の方法。
【請求項３】
前記提供することが、可能なアプリケーション・サービスのリストからアプリケーション・サービスの前記複数の群の少なくとも１つを動的に作成することを含む、請求項１に記載の方法。
【請求項４】
アプリケーション・サービスの前記複数の群を、少なくとも１つのネットワーク識別子にマッピングすることをさらに含む、請求項１に記載の方法。
【請求項５】
前記自動的に構成することが、前記ネットワーク内でトラフィック・フィルタリング・ルールをセット・アップすることを含み、前記トラフィック・フィルタリング・ルールが、前記デバイスをアプリケーション・サービスの前記特定の群に関連付ける、請求項１に記載の方法。
【請求項６】
前記トラフィック・フィルタリング・ルールが、前記ネットワークに結合されたネットワーク・トラフィック要素の群からの少なくとも１つのネットワーク・トラフィック制御要素で設定され、前記ネットワーク・トラフィック制御要素が、アクセス・ポイント、ＬＡＮスイッチ、ルータ、プロキシ・サーバ、またはアプリケーション固有サーバである、請求項５に記載の方法。
【請求項７】
前記トラフィック・フィルタリング・ルールが、前記デバイスの識別子および前記ユーザが選択したアプリケーション・サービスに基づいて決定される、請求項６に記載の方法。
【請求項８】
前記デバイスによるアプリケーション・サービスの前記複数の群の少なくとも１つへのアクセスに関する料金を課金することをさらに含み、前記課金することが、前記ユーザによって選択されるアプリケーション・サービスの各群に関連する課金ポリシーを提供することを含む、請求項２に記載の方法。
【請求項９】
アプリケーション・サービスの別の群へのアクセスを禁止することをさらに含む、請求項１に記載の方法。
【請求項１０】
禁止されたサービスとしてアプリケーション・サービスの前記別の群を定義することと、
前記ユーザが、前記複数のアプリケーション・サービスから前記禁止されたサービスの少なくとも１つを選択できるようにすることと、
前記デバイスによる前記ネットワークを介する前記禁止されたサービスの前記少なくとも１つへのアクセスを可能にするために、アプリケーション・サービスの前記特定の群に基づいて動的に前記ネットワークを自動的に再構成することと
をさらに含む、請求項９に記載の方法。
【請求項１１】
少なくとも１つのネットワーク構成サービスと、少なくとも１つのサービス管理アプリケーション・サービスと、少なくとも１つのネットワーク・トラフィック制御要素と、標準プロトコルの組を使用するユーザ・デバイスからアクセス可能なアプリケーション・サービスの少なくとも２つの群とを有するネットワークに接続された前記ユーザ・デバイスを使用可能にすることと、
前記少なくとも１つのネットワーク構成サービスが、前記ユーザ・デバイスを構成することと、
前記少なくとも１つのサービス管理アプリケーション・サービスが、前記ユーザ・デバイスに、アプリケーション・サービスの前記少なくとも２つの群のリスティングを供給することと、
前記ユーザ・デバイスのユーザが、アプリケーション・サービスの前記少なくとも２つの群から少なくとも１つの群を選択できるようにすることと、
前記少なくとも１つの群だけへのアクセスを可能にするために前記少なくとも１つのネットワーク・トラフィック制御要素を構成することと
を含む方法。
【請求項１２】
ネットワークへのユーザ・デバイスの接続に応答して、アプリケーション・サービスの複数の群のリスティングを前記デバイスに供給することと、
アプリケーション・サービスの前記複数の群からのアプリケーション・サービスの特定の群の選択を表す識別子の組を前記デバイスに送信することと、
前記デバイスとアプリケーション・サービスの前記特定の群との間の前記ネットワークを介する通信を可能にするために、少なくとも１つのネットワーク・トラフィック制御要素に前記ネットワークを構成するように指示するのに前記識別子を使用することと
を含む方法。
【請求項１３】
デバイスのアクセス許可を設定することと、
標準プロトコルの組を使用し、ネットワークに結合される前記デバイスが、使用可能なアプリケーション・サービスの複数の群から選択されたアプリケーション・サービスへのアクセスを選択できるようにすることと、
前記デバイスがアプリケーション・サービスの前記複数の群の少なくとも１つからの前記選択されたアプリケーション・サービスにアクセスするために、前記デバイスの前記アクセス許可を少なくとも１つの識別子に関連付けることと、
前記デバイスが、ローミングでき、前記確立されたアクセス許可を使用して前記選択されたアプリケーション・サービスにアクセスできるようにするために前記少なくとも１つの識別子を使用することと
を含む方法。
【請求項１４】
ネットワーク結合条件が変更される時であっても前記確立されたアクセス許可を維持することをさらに含む、請求項１３に記載の方法。
【請求項１５】
ユーザが、アプリケーション・サービスの特定の群にアクセスするためにネットワークに結合されたデバイス上で標準通信プロトコルの組を使用できるようにするサーバを含み、前記サーバが、
前記デバイスからアクセス可能なアプリケーション・サービスの複数の群のリスティングを供給するリスティング・モジュールであって、前記群のそれぞれの前記アプリケーション・サービスの少なくとも１つが、前記デバイスによって使用可能である、リスティング・モジュールと、
前記ユーザが前記複数の群からのアプリケーション・サービスの前記特定の群を選択できるようにするイネーブリング・モジュールと、
前記デバイスによる前記ネットワークを介するアプリケーション・サービスの前記特定の群への前記アクセスを可能にするために、アプリケーション・サービスの前記特定の群に基づいて前記ネットワークを構成する構成モジュールと
を含む、装置。
【請求項１６】
前記イネーブリング・モジュールは、前記ユーザが前記複数の群からのアプリケーション・サービスの別の群の後続の選択を行うことを可能にし、前記構成モジュールは、前記デバイスによる前記ネットワークを介するアプリケーション・サービスの前記別の群への前記アクセスを可能にするために、前記後続の選択に基づいて動的に前記ネットワークを再構成し、前記アクセスに関する料金を課金する請求モジュールをさらに含み、前記料金が、各群に関連する課金ポリシーに基づく、請求項１５に記載の装置。
【請求項１７】
請求項１ないし１０のいずれかに記載の方法をコンピュータに実行させるためのプログラム。
【請求項１８】
請求項１１に記載の方法をコンピュータに実行させるためのプログラム。
【請求項１９】
請求項１２に記載の方法をコンピュータに実行させるためのプログラム。
【請求項２０】
請求項１３に記載の方法をコンピュータに実行させるためのプログラム。
【手続補正２】
【補正対象書類名】明細書
【補正対象項目名】０００５
【補正方法】変更
【補正の内容】
【０００５】
さらに、通常は無線技術を使用する、ネットワーク・サービスへの公衆アクセスの現在の方式では、単一サービス層が定義される。たとえば、通常のサービスは、ワールド・ワイド・ウェブ（または単に「ウェブ」）への単なるアクセスである。サービスのそのような定義では、ユーザが、ユーザ自身のデバイスを介してオンデマンドである種のプレミアム・サービスにアクセスできるシナリオが検討されていない。そのようなプレミアム・サービスへの事前に確立される関係を必要としない、ユーザが１つまたは複数のそのようなプレミアム・サービスをいつでもオンザフライで選択できるようにする機構は、存在しない。サービス・オファリングが、複数の層（またはサービスのグループ）を有する場合であっても、ユーザは、前もって所望のサービス層を選択しなければならない。さらに、選択されたサービス層は、ユーザがサービス・プロバイダによって提供されるサービスにアクセスする持続時間にわたって変更されないままになる。言い換えると、公衆アクセス・インフラストラクチャを介する現在のサービス・オファリングは、ユーザに、異なる動的に調整可能な（またはオンデマンドの）サービス層を提供しない。そのようなサービス・オファリングは、サービスの選択された組に基づく、ユーザに関する支払ポリシーを動的に選択する機構も必要とする。
【手続補正３】
【補正対象書類名】明細書
【補正対象項目名】００２０
【補正方法】変更
【補正の内容】
【００２０】
アプリケーション・サーバの層を区別する可能な層の例として、図１に、２つのアプリケーション・サービス層、ゴールド１０３およびシルバー１０４を示す。アプリケーション・サービスの各層は、１つまたは複数のサービスの集合（またはグループ）によって定義される。この例では、シルバー・サービス層１０４は、図１の一般インターネット１０５へのアクセスを含む。ゴールド・サービス層は、シルバー・サービス層に含まれるすべてのサービスに加えて、ユーザ端末にビデオ・クリップを供給するサービスを含むことができる。アプリケーション・サービスのこれらの層は、静的に存在することができ、すなわち、たとえばシルバー・アプリケーション・サービス層は、常に、その中にアプリケーション・サービスの同一の組を含む（または、少なくとも時々更新する）ことができる。その一方で、層内のアプリケーション・サービスの割当は、動的とすることができ、この場合に、層に「割り当てられる」アプリケーション・サービスは、さまざまな判断基準に基づいて変更することができる。いくつかの実施形態で、サービスは、アプリケーション・サービス考慮事項の質、強制アドミッション制御、時刻、異なる時刻におけるアプリケーション・サービスへの異なる課金モデルの適用などの判断基準の組合せに基づいて追加したり減らしたりすることができる。
【手続補正４】
【補正対象書類名】明細書
【補正対象項目名】００２１
【補正方法】削除
【補正の内容】